(57)【要約】【課題】  粉末を効率よく回収可能なサイクロン式粉末回収装置を提供する。【解決手段】  回収タンクとサイクロンとバキュームクリーナーを備え、サイクロンの出口側が回収タンクに連通され、サイクロンとバキュームクリーナーが連結ホースで連結され、バキュームクリーナーにより連結ホースを通してサイクロン内を吸引すると、サイクロンの外部の粉末がサイクロン内に吸引されて回収タンクに回収されるようにしたサイクロン式粉末回収装置において、サイクロン内に内筒を縦向きに設け、内筒の外周面とサイクロンの内周面との間の空間を粉末導入路とし、内筒の内部空間を吸引通路とし、吸引通路にバキュームクリーナーが連通されて、バキュームクリーナーにより吸引通路を通して回収タンク及び粉末導入路内を吸引すると、サイクロンの外部の粉末がサイクロン内に吸引されて回収タンクに回収されるようにした。【選択図】図１
2015164713.tif 000002
【特許請求の範囲】
【請求項１】
回収タンクと、サイクロンと、バキュームクリーナーを備え、前記サイクロンの出口側が回収タンクに連通され、サイクロンとバキュームクリーナーが連結ホースで連結され、
前記バキュームクリーナーにより連結ホースを通してサイクロン内を吸引すると、サイクロンの外部の粉末がサイクロン内に吸引されて回収タンクに回収されるようにしたサイクロン式粉末回収装置において、
前記サイクロン内に内筒が縦向きに設けられ、
内筒の外周面とサイクロンの内周面との間の空間が粉末導入路であり、
内筒の内部空間が吸引通路であり、
吸引通路にバキュームクリーナーが連通されて、バキュームクリーナーにより前記吸引通路を通して前記回収タンク及び前記粉末導入路内を吸引すると、サイクロンの外部の粉末がサイクロン内に吸引されて回収タンクに回収される、
ことを特徴とするサイクロン式粉末回収装置。
【請求項２】
請求項１記載のサイクロン式粉末回収装置において、
内筒の下端部がサイクロンの下端から突出して回収タンク内に突設され、又は、サイクロンの下端部が内筒の下端よりも下方まで突出して回収タンク内に突設された、
ことを特徴とするサイクロン式粉末回収装置。
【請求項３】
請求項１又は請求項２記載のサイクロン式粉末回収装置において、
回収タンク内に回収された粉末がバキュームクリーナーに吸引されるのを邪魔する邪魔具が、内筒の内部に設けられた、
ことを特徴とするサイクロン式粉末回収装置。
【発明の詳細な説明】
【技術分野】
【０００１】
本発明は、小麦粉などの粉末、アスベスト粉末といった粉末、特に、ミクロン単位の微粉末を回収に適した、サイクロン式粉末回収集装置に関する。
【背景技術】
【０００２】
粉末が飛散する粉末工場内や、アスベスト粉末（塵芥）が飛散する解体作業現場等には、サイクロンの原理を利用したサイクロン式粉末回収装置が設置され、それにより粉末を回収して作業環境を改善している。サイクロン式粉末回収装置には各種のものがあり、例えば、東浜工業株式会社製の「サイクロンバキュームクリーナー セパレートタイプ SYP-1型+AS-100M/200M」（非特許文献１）が知られている。
【０００３】
非特許文献１に開示されたサイクロンバキュームクリーナーの説明図を図３（ａ）〜（ｃ）に示す。このサイクロンバキュームクリーナーは、回収タンクＡと、サイクロンＢと、バキュームクリーナーＣを備え、サイクロンＢとバキュームクリーナーＣを連結ホースＤで連結したものである。サイクロンＢには導入ホースＥが連結され、バキュームクリーナーＣが動作すると、導入ホースＥを通してサイクロンＢの外部の粉末が吸引されるようにしてある。サイクロンＢは上部が円筒状で下部が下細りの円錐状であり、その下端が回収タンクＡに連結されて、サイクロンＢ内を通過した粉末が回収タンクＡ内に回収されるようにしてある。
【先行技術文献】
【特許文献】
【０００４】
【非特許文献１】東浜工業株式会社製「サイクロンバキュームクリーナー  セパレートタイプ  SYP-1型+AS-100M/200M（http://www.tohin.co.jp/）」
【発明の概要】
【発明が解決しようとする課題】
【０００５】
前記サイクロンバキュームクリーナーは、導入ホースＥからサイクロンＢ内に取り込まれた粉末が回収タンクＡ内に落下して回収される前に、粉末の一部がバキュームクリーナーＣに吸引されることがあった。このことは、粉末回収という観点からは特に問題はないが、バキュームクリーナーＣ内に粉末が吸引されると、バキュームクリーナーＣ内のフィルタが目詰まりをおこし、粉末の回収効率が低下するという問題がある。
【０００６】
本発明の目的は、導入ホースを通してサイクロンＢ内に取り込んだ粉末を回収タンクＡで効率よく回収可能なサイクロン式粉末回収装置を提供することにある。
【課題を解決するための手段】
【０００７】
本発明のサイクロン式粉末回収装置は、回収タンクと、サイクロンと、バキュームクリーナーを備え、サイクロンの出口側が回収タンクに連通され、サイクロンとバキュームクリーナーが連結ホースで連結され、バキュームクリーナーにより連結ホースを通してサイクロン内を吸引すると、サイクロンの外部の粉末がサイクロン内に吸引されて回収タンクに回収されるようにしたサイクロン式粉末回収装置であり、前記サイクロン内に内筒が縦向きに設けられ、内筒の外周面とサイクロンの内周面との間の空間を粉末導入路とし、内筒の内部空間を吸引通路とし、吸引通路にバキュームクリーナーが連通されて、バキュームクリーナーにより前記吸引通路を通して前記回収タンク及び前記粉末導入路内を吸引すると、サイクロンの外部の粉末がサイクロン内に吸引されて回収タンクに回収されるようにしたものである。
【０００８】
内筒の下端部をサイクロンの下端よりも下方まで突出させて回収タンク内に突出させることも、これとは逆に、サイクロンの下端部を内筒の下端よりも下方まで突出させて回収タンク内に突出させることもできる。
【０００９】
回収タンク内に回収された粉末がバキュームクリーナーに吸引されるのを邪魔する邪魔具を、前記内筒の内部に設けることができる。
【発明の効果】
【００１０】
本発明のサイクロン式粉末回収装置は次の効果がある。
（１）サイクロンの内部に内筒を設けて、外部から粉末を吸引する粉末導入路と、サイクロン内を吸引する吸引通路を内筒で仕切ってあるので、サイクロン内に導入される粉末がバキュームクリーナー内に取り込まれにくくなり、回収タンクへの回収効率が向上する。
（２）内筒内に邪魔具を設けたので、回収タンクに回収された粉末が、バキュームクリーナーに吸引されにくくなり、バキュームクリーナー内のフィルタが目詰りしにくくなり、バキュームクリーナーの吸引による粉末回収効率が低下しにくい。
【図面の簡単な説明】
【００１１】
【図１】（ａ）は本発明のサイクロン式粉末回収装置の一例を示す斜視図、（ｂ）は（ａ）の部分拡大断面図、（ｃ）は（ａ）に示すサイクロン式粉末回収装置の動作説明図。
【図２】本発明のサイクロン式粉末回収装置の他例を示す断面図。
【図３】（ａ）は従来のサイクロン式粉末回収装置の斜視図、（ｂ）は（ａ）の部分拡大断面図、（ｃ）は（ａ）に示すサイクロン式粉末回収装置の動作説明図。
【発明を実施するための形態】
【００１２】
（実施形態）
本発明のサイクロン式粉末回収装置（以下、単に「回収装置」という。）１の実施形態を、図１（ａ）〜（ｃ）及び図２を参照して説明する。一例として図１（ａ）〜（ｃ）に示す回収装置１は、回収タンク２と、その上に設けたサイクロン３と、サイクロン３と吸引手段（バキュームクリーナー）４を備え、サイクロン３の内部にそれよりも径の細い内筒５が設けられ、内筒５とバキュームクリーナー４が連結ホース６で連結されている。回収タンク２、サイクロン３、バキュームクリーナー４には既存のものを使用することも、少なくとも既存のものと同等あるいはそれ以上の機能を備えた新規なものを使用することもできる。
【００１３】
前記回収タンク２は、外部からサイクロン３内を通して吸引した粉末を溜める容器であり、タンク本体２ａの上開口部にタンク蓋２ｂを被せてあり、タンク本体２ａの底面にキャスター７が取付けられて移動可能としてある。
【００１４】
サイクロン３は下端側が先細りの円錐状であり、その周壁の上部に設けられた導入口（導入パイプ）８に導入ホース９が連結されている。サイクロン３の上端部は上蓋１０で閉塞されており、上蓋１０には吸引パイプ１２が貫通固定されている。サイクロン３の下端開口部１１はタンク蓋２ｂを貫通して回収タンク２内に開口している。
【００１５】
サイクロン３内に配置された内筒５は下端側が次第に先細りになる円筒状であり、その上端部が上蓋１０の内面に固定されて吊下げられて、下端開口部１４がサイクロン３の下端よりも下方に突出して、回収タンク２内に突出している。内筒５の内部空間は吸引通路１５としてある。その吸引通路１５に前記吸引パイプ１２が連通されており、その吸引パイプ１２に連結ホース６でバキュームクリーナー４が連結されている。
【００１６】
内筒５はサイクロン３よりも細い径であり、内筒５の外周面とサイクロン３の内周面との間に空間があり、その空間を粉末導入路１６とし、その粉末導入路１６がサイクロン３の導入口８に連通している。
【００１７】
内筒５は各種材質製とすることができるが、ＳＵＳ３０４やＳＵＳ３１６、防錆加工が施されたＳＵＳ３１６Ｌなどが適する。
【００１８】
内筒５の内壁面には図２に示すように邪魔具１７が設けることもできる。邪魔具１７には複数枚（図２では六枚）の板材が使用されており、各板材が内壁面に下向きに且つ縦方向に段差をつけて取付けられている。板材の数、取付け位置等は任意に設計することができる。邪魔具１７は、螺旋状やその他の形状とすることもできる。
【００１９】
（作用）
バキュームクリーナー４を動作させると、内筒５内の吸引通路１５内がバキュームクリーナー４で吸引される。このとき、吸引通路１５と連通しているサイクロン３の粉末導入路１６内の空気も吸引される。この吸引により、サイクロン３の外部の空気及びその空気中に飛散している粉末が粉末導入路１６内に導入されてサイクロン３の下端開口部１１から回収タンク２内に落下して溜まる。このとき、内筒５内に邪魔具１７が設けられている場合、多少の粉末は内筒５内の吸引通路１５内に吸引されるが、吸引通路１５内の邪魔具１７に当たって吸引が阻止され、回収タンク２内に落下する。
【００２０】
前記部材の構造、形状等は、本発明の目的を達成できれば、他の構造、形状とすることができる。電源も商用電源に限らず、充電可能なバッテリーとすることもでき、その場合は移動範囲が広くなり、商用電源のない場所でも使用可能となる。
【産業上の利用可能性】
【００２１】
本発明のサイクロン式粉末回収装置は、あらゆる分野での粉末回収に利用することができる。
【符号の説明】
【００２２】
１    サイクロン式粉末回収装置（回収装置）
２    回収タンク
２ａ  タンク本体
２ｂ  タンク蓋
３    サイクロン
４    吸引手段（バキュームクリーナー）
５    内筒
６    連結ホース
７    キャスター
８    導入口（導入パイプ）
９    導入ホース
１０  上蓋
１１  サイクロンの下端開口部
１２  吸引パイプ
１４  内筒の下端開口部
１５  吸引通路
１６  粉末導入路
１７  邪魔具
【図１】
2015164713.tif 000003
【図２】
2015164713.tif 000004
【図３】
2015164713.tif 000005